(57)【要約】【課題】  変位した状態で固着したリミットスイッチのレバーを断路器の動作に連動して容易に復帰させ、断路器の動作状態を正確に検知することができる断路器動作検知機構及びそれを備える断路器を提供することを課題とする。【解決手段】  変位可能に構成されたレバーを備えるリミットスイッチと、電路を開閉する断路器の動作に連動して可動し、リミットスイッチのレバーを付勢して変位させる付勢手段とを備える断路器動作検知機構において、同じく断路器の動作に連動して可動し、付勢手段がリミットスイッチのレバーから離間するのに伴い、リミットスイッチのレバーに反対側から接近し且つ変位した状態におけるリミットスイッチのレバーと接触可能に構成された復帰手段をさらに備えることを特徴とする。【選択図】図２
2011187382.tif 000002
【特許請求の範囲】
【請求項１】
変位可能に構成されたレバーを備えるリミットスイッチと、電路を開閉する断路器の動作に連動して可動し、リミットスイッチのレバーを付勢して変位させる付勢手段とを備える断路器動作検知機構において、同じく断路器の動作に連動して可動し、付勢手段がリミットスイッチのレバーから離間するのに伴い、リミットスイッチのレバーに反対側から接近し且つ変位した状態におけるリミットスイッチのレバーと接触可能に構成された復帰手段をさらに備えることを特徴とする断路器動作検知機構。
【請求項２】
前記リミットスイッチを一対備え、変位した状態における少なくとも一方のリミットスイッチのレバーに前記復帰手段が接触するように構成されることを特徴とする請求項１に記載の断路器動作検知機構。
【請求項３】
前記復帰手段は、弾性部材を用いて形成されることを特徴とする請求項１又は２に記載の断路器動作検知機構。
【請求項４】
変位可能に構成されたレバーを備えるリミットスイッチと、電路を開閉する断路器の動作に連動して可動し、リミットスイッチのレバーを付勢して変位させる付勢手段とを備える断路器動作検知機構を備える断路器において、同じく断路器の動作に連動して可動し、付勢手段がリミットスイッチのレバーから離間するのに伴い、リミットスイッチのレバーに反対側から接近し且つ変位した状態におけるリミットスイッチのレバーと接触可能に構成された復帰手段をさらに備えることを特徴とする断路器。
【発明の詳細な説明】
【技術分野】
【０００１】
本発明は、電路の開閉を行なう断路器の動作を検知する断路器動作検知機構とそれを備える断路器に関し、特に、電路を開閉した際の断路器の動作状態をリミットスイッチを用いて検知する断路器動作検知機構とそれを備える断路器に関する。
【背景技術】
【０００２】
従来から、発変電所における発変電設備の保守点検は、発変電設備への電流の供給を遮断し、安全を確保した上で行なわれている。発変電設備への電流の供給を遮断するための手段としては、遮断器、開閉器、断路器などが用いられている。特に、断路器は、遮断器や開閉器によって発変電設備への電流の供給を遮断した後、さらに、電路を開いて確実に電流が流れない状態にするものである。従って、断路器の動作状態、つまりは、断路器が電路を開いた状態にしているか、閉じた状態にしているかを把握することは、保守点検作業の安全を確保する上で重要な要素である。
【０００３】
かかる断路器の動作状態は、発変電設備を制御する制御所等において把握できるようになっている。具体的には、断路器には、断路器の動作状態を検知する断路器動作検知機構が備えられている。該断路器動作検知機構には、変位可能に構成されたレバーを備えるリミットスイッチと該リミットスイッチのレバーを付勢して変位させる付勢手段とが備えられ、該付勢手段が、断路器の動作に連動して可動するように構成されている。かかる構成の断路器動作検知機構は、断路器の動作に連動して付勢手段が可動し、リミットスイッチのレバーを付勢して変位させることで、断路器の動作状態に応じた信号をリミットスイッチが送信し、制御所等で断路器の動作状態を把握できるようになっている。
【０００４】
かかる断路器動作検知機構を備える断路器としては、例えば、Ｖ型断路器や水平二点切断路器等が知られている。Ｖ型断路器に備えられる断路器動作検知機構としては、付勢手段が板カム状に形成されたものが用いられている。該板カム状の付勢手段は、断路器が電路を開閉する際に可動するブレード開閉軸に連動して回動するように構成されたものである（特許文献１参照）。また、水平二点切断路器に備えられる断路器動作検知機構としては、図１に示すように、電路を開閉する際に可動する捻回軸Ｒに付勢手段３が連結部材５を介して連結され、捻回軸Ｒに連動して付勢手段３が回動するように構成されたものである。なお、上記の断路器動作検知機構に用いられるリミットスイッチのレバーは、付勢手段がレバーから離間することによって、付勢される前の位置へ自動的に復帰するように構成されている。
【先行技術文献】
【特許文献】
【０００５】
【特許文献１】特開２００５−１４２０１７号公報
【発明の概要】
【発明が解決しようとする課題】
【０００６】
しかしながら、上記のような断路器動作検知機構は、断路器が動作したときのみ作動するものであり、断路器の動作頻度によっては、リミットスイッチのレバーが付勢手段によって付勢された状態で維持されることもある。このような状態が長期間継続されると、レバーの動きを円滑にするためのグリスが固化してしまったり、レバーとリミットスイッチ本体との間に塵が溜まってしまったりするため、レバーが変位した状態で固着してしまうことがある。このような状態では、付勢手段がレバーから離間しても、レバーが変位した状態から復帰しなくなってしまう。
【０００７】
以上のように、リミットスイッチのレバーが変位した状態で固着してしまうと、電路を開閉した際の断路器の動作状態をリミットスイッチが正確に検知することができないため、制御所等で断路器の動作状態を把握することができない。このため、断路器の動作状態を現地確認しなければならず、また、固着したレバーの復帰作業が必要であるため、多くの手間がかかっている。
【０００８】
そこで、本発明は、変位した状態で固着したリミットスイッチのレバーを断路器の動作に連動して容易に復帰させることができ、断路器の動作状態を正確に検知することができる断路器動作検知機構とそれを備える断路器を提供することを課題とする。
【課題を解決するための手段】
【０００９】
本発明にかかる断路器動作検知機構は、変位可能に構成されたレバーを備えるリミットスイッチと、電路を開閉する断路器の動作に連動して可動し、リミットスイッチのレバーを付勢して変位させる付勢手段とを備える断路器動作検知機構において、同じく断路器の動作に連動して可動し、付勢手段がリミットスイッチのレバーから離間するのに伴い、リミットスイッチのレバーに反対側から接近し且つ変位した状態におけるリミットスイッチのレバーと接触可能に構成された復帰手段をさらに備えることを特徴とする。
【００１０】
かかる構成の断路器動作検知機構によれば、断路器の動作に連動して可動する復帰手段が、変位した状態におけるリミットスイッチのレバーに反対側から接近し、接触可能に構成されることで、変位した状態で固着してしまったリミットスイッチのレバーを断路器の動作に連動して容易に復帰させることができる。具体的には、復帰手段が断路器の動作に連動して可動することで、電路を開閉する際の断路器の操作と共に、固着したリミットスイッチのレバーを復帰させることができるため、別途、復帰作業を行う手間を省くことができる。
【００１１】
なお、変位とは、リミットスイッチのレバーが付勢手段によって付勢されて位置を変えることをいう。また、復帰とは、変位した状態から付勢前の状態へ戻ることをいう。
【００１２】
また、本発明にかかる断路器動作検知機構は、前記リミットスイッチを一対備え、変位した状態における少なくとも一方のリミットスイッチのレバーに前記復帰手段が接触するように構成されることが好ましい。
【００１３】
かかる構成の断路器動作検知機構によれば、一対のリミットスイッチのうち、変位した状態における少なくとも一方のレバーに復帰手段が接触するように備えられることで、一対のリミットスイッチのうちのどちらか一方、或いは、両方のレバーが固着し易いような状況であっても、容易にレバーを復帰させることができる。
【００１４】
具体的には、一対のリミットスイッチのうち、一方が断路器によって電路が開いた状態にされていることを検地する開用リミットスイッチであり、他方が断路器によって電路が閉じた状態にされていることを検地する閉用リミットスイッチである場合には、断路器が常時使用される状態、例えば、電路を常時開いた状態にしているか、常時閉じた状態にしているかによって、固着するレバーと固着しないレバーとが生じることとなる。或いは、どちらか一方の状態に限定されず、常時使用される状態が変動する場合には、両方のレバーで固着が生じることとなる。従って、固着が生じる方のレバー、或いは、両方のレバーに接触するように復帰手段を設けることで、確実にレバーを復帰させることができる。
【００１５】
また、本発明にかかる断路器動作検知機構は、前記復帰手段が、弾性部材を用いて形成されることが好ましい。
【００１６】
かかる構成の断路器によれば、復帰手段が弾性部材を用いて形成されることで、リミットスイッチのレバーと接触した際の衝撃を緩和することができる。また、復帰手段がレバーと接触した後、さらに、同一方向に可動し、レバーを乗り越えるように構成される場合には、復帰手段がレバーと接触して弾性変形するため、レバーを乗り越える際の抵抗を軽減することができる。
【００１７】
また、本発明にかかる断路器は、変位可能に構成されたレバーを備えるリミットスイッチと、電路を開閉する断路器の動作に連動して可動し、リミットスイッチのレバーを付勢して変位させる付勢手段とを備える断路器動作検知機構を備える断路器において、同じく断路器の動作に連動して可動し、付勢手段がリミットスイッチのレバーから離間するのに伴い、リミットスイッチのレバーに反対側から接近し且つ変位した状態におけるリミットスイッチのレバーと接触可能に構成された復帰手段をさらに備えることを特徴とする。
【発明の効果】
【００１８】
以上のように、本発明によれば、変位した状態で固着したリミットスイッチのレバーを断路器の動作に連動して容易に復帰させることができ、断路器の動作状態を正確に検知することができる。
【図面の簡単な説明】
【００１９】
【図１】水平二点切断路器に備えられる従来の断路器動作検知機構を示した図。
【図２】第一実施形態にかかる断路器動作検知機構を示した図であり、（ａ）は、レバーが変位した状態を示す図、（ｂ）は、変位した状態におけるレバーに復帰手段が接触した状態を示す図。
【図３】図２の（ａ）及び（ｂ）を捻回軸が伸びる方向から見た平面図。
【図４】同実施形態における断路器が電路を開いた状態から閉じた状態に切り替える際の開用リミットスイッチ近傍の動作を示した図であり、（ａ）は、レバーが付勢されて変位した状態を示した図、（ｂ）は、変位した状態におけるレバーに復帰手段が接触した図、（ｃ）は、レバーが復帰した状態を示す図。
【図５】図４の（ａ）〜（ｃ）を捻回軸が伸びる方向から見た平面図。
【図６】第二実施形態にかかる断路器動作検知機構を捻回軸の端部側から見た図。
【図７】（ａ）〜（ｃ）は、同実施形態における断路器が電路を開いた状態から閉じた状態に切り替える際の動作を示した図であり、（ａ）は、レバーが付勢されて変位した状態を示した図、（ｂ）は、変位した状態におけるレバーに復帰手段が接触した図、（ｃ）は、レバーが復帰した状態を示す図。
【図８】他の実施形態にかかる断路器動作検知機構を示す図であり、（ａ）は、付勢手段がレバーを付勢した状態を示す図、（ｂ）は、（ａ）の状態から捻回軸が１８０°捻回した状態の図。
【図９】他の実施形態にかかる断路器動作検知機構を示す図であり、（ａ）は、付勢手段がレバーを付勢した状態を示す図、（ｂ）は、（ａ）の状態から捻回軸が１８０°捻回した状態の図。
【発明を実施するための形態】
【００２０】
＜第一実施形態＞
以下、本発明の第一実施形態について図２〜５を参照しながら説明する。
【００２１】
まず初めに、第一実施形態にかかる断路器動作検知機構１が備えられる断路器について簡単に説明する。該断路器は、３本の碍子が起立した状態で略直線状に配列された水平二点切断路器である。一般的には、３本の碍子が複数組（通常３組）併設されて構成されたものである。
【００２２】
該水平二点切断路器の３本の碍子のうち、中央に配置された碍子（中央碍子）の上端部には、水平方向に伸びるブレードが備えられている。該ブレードは、導電性部材を用いて構成され、その両端部が中央碍子の両側の一対の碍子（接続碍子）の上端部と接続可能に構成されている。一方、一対の接続碍子の上端部には、架線が接続される接続端子部が設けられ、ブレードの両端部と接続可能に構成されている。このように、ブレードが接続端子部間を連結することで電路を閉じた状態（電流が流れる状態）にすることができる。
【００２３】
また、ブレードは、中央碍子の上端部を中心に水平方向に所定の角度で回動可能に構成されている。具体的には、ブレードの中央部には、ブレードに対して略垂直に伸びる捻回軸Ｒが連結され、該捻回軸Ｒが所定の角度（例えば、７０°）で捻回することにより、ブレードが回動可能に構成されている。
【００２４】
また、水平二点切断路器には、ブレードを所定の角度で回動させるための操作部が備えられている。該操作部は、手動又は自動で捻回軸Ｒを所定の角度で捻回可能に構成されている。そして、操作部からの操作によって、捻回軸Ｒを捻回させることによりブレードを所定の角度で回動させ、ブレードの両端部と一対の接続端子部との接続状態を切り替えることで、電路の開閉が行なわれる。
【００２５】
次に、本実施形態の特徴的部分である断路器動作検知機構１について説明する。断路器動作検知機構１は、水平二点切断路器（以下、断路器Ａと記す）に備えられるものである。具体的には、断路器動作検知機構１は、捻回軸Ｒの動作に連動して作動するように構成され、断路器Ａが電路を開閉した際の動作状態を検知するように構成されたものである。
【００２６】
また、断路器動作検知機構１は、図２に示すように、変位可能に構成されたレバー２１を備えるリミットスイッチ２と、該リミットスイッチ２に備えられたレバー２１を付勢して変位させる付勢手段３と、変位した状態におけるレバー２１を復帰させる復帰手段４とを備えるものである。
【００２７】
前記リミットスイッチ２は、所定方向に変位可能なレバー２１と、該レバー２１が接続される本体部２２とから構成される。レバー２１は、一端部（基端部）が本体部２２に接続され、本体部２２に対して所定方向に変位可能に構成される。具体的には、レバー２１は、他端側（先端側）が本体部２２から突出するように本体部２２に接続され、本体部２２との接続部分を中心に所定の方向に回動自在に構成されている。また、レバー２１は、変位していない状態では、本体部２２と略直線状となるように構成され、変位した状態では、本体部２２に対して所定の角度を成すように構成されている。
【００２８】
また、レバー２１は、変位状態から自動的に復帰するように構成される。具体的には、レバー２１と本体部２２との接続部分には、つる巻きバネ等の弾性部材が備えられ、レバー２１が変位することによって、復帰方向に向かって応力が生じるように構成されている。また、レバー２１の他端部（先端部）には、レバー２１の変位方向に回転自在な回転部材２３を備えている。
【００２９】
一方、本体部２２は、レバー２１の変位状態に応じた信号を外部へ送信可能に構成される。具体的には、本体部２２の内部には、レバー２１の変位状態に応じて信号を送信するマイクロスイッチ等が内蔵されている。
【００３０】
また、リミットスイッチ２は、断路器動作検知機構１に一対備えられている。具体的には、図３に示すように、断路器Ａが電路を開いた状態にしていること検知する開用リミットスイッチ２ａと、断路器Ａが電路を閉じた状態にしていることを検知する閉用リミットスイッチ２ｂとが備えられている。
【００３１】
また、開用及び閉用リミットスイッチ２ａ，２ｂは、捻回軸Ｒから所定の位置に配置される。具体的には、開用及び閉用リミットスイッチ２ａ，２ｂは、捻回軸Ｒを中心に対称位置に配置され、それぞれのレバー２１ａ，２１ｂが捻回軸Ｒから所定の距離に位置するように構成されている。また、開用及び閉用リミットスイッチ２ａ，２ｂは、レバー２１ａ，２１ｂが捻回軸Ｒを中心に略周方向に変位し、且つ、捻回軸Ｒから見て、同一方向に変位するように配置されている。
【００３２】
前記付勢手段３は、断路器Ａの動作に連動して可動するように構成される。具体的には、図２に示すように、付勢手段３は、断路器の動作に連動して可動する連結部材５に備えられる。より詳しくは、付勢手段３は、連結部材５を介して捻回軸Ｒに連結され、捻回軸Ｒが捻回することにより、連結部材５と共に回動するように構成されている。該連結部材５は、捻回軸Ｒに対して略直行する円盤状に形成され、中心部に捻回軸Ｒが固定されている。これにより、付勢手段３は、捻回軸Ｒが所定の角度で捻回することにより、捻回軸Ｒを中心に所定の角度で回動するように構成されている。
【００３３】
また、付勢手段３は、捻回軸Ｒから所定の位置に配置される。具体的には、付勢手段３と捻回軸Ｒとの間の距離が、レバー２１と捻回軸Ｒとの間の距離と略同一となるように連結部材５に配置されている。言い換えれば、付勢手段３は、その回動する軌道上に回転部材２３が位置するように連結部材５に配置されている。
【００３４】
また、付勢手段３は、レバー２１を付勢する付勢部３１と、該付勢部３１を連結部材５に接続する接続部３２とから構成されている。付勢部３１には、レバー２１を付勢する付勢面３３が所定の角度で形成されている。具体的には、付勢面３３は、回転部材２３を付勢するように構成され、レバー２１の変位方向に直交するように形成されている。このため、レバー２１を変位方向に向かって付勢することができ、レバー２１を容易に変位させることができる。また、接続部３２は、一端部(先端部)に付勢部３１が接続され、連結部材５に対して略直角を成すように他端部（基端部）が連結部材５に接続されている。
【００３５】
また、付勢手段３は、断路器動作検知機構１に一対備えられる。具体的には、図３に示すように、開用リミットスイッチ２ａのレバー２１ａを付勢する開用付勢手段３ａと閉用リミットスイッチ２ｂのレバー２１ｂを付勢する閉用付勢手段３ｂとが備えられている。また、開用及び閉用付勢手段３ａ，３ｂは、レバー２１ａ，２１ｂを捻回軸Ｒから見て同一方向に付勢するように配置される。具体的には、開用及び閉用付勢手段３ａ，３ｂは、一対のリミットスイッチ２間を結ぶ直線を境に一方側に配置され、一方のリミットスイッチ２（例えば、開用リミットスイッチ２ａ）のレバー２１（例えば、レバー２１ａ）を付勢している状態において、他方のリミットスイッチ２（例えば、閉用リミットスイッチ２ｂ）のレバー２１（例えば、レバー２１ｂ）から離間した状態となるように配置されている。
【００３６】
前記復帰手段４は、断路器の動作に連動して可動するように構成される。具体的には、図２に示すように、復帰手段４は、付勢手段３と共に連結部材５に備えられ、連結部材５が回動することにより、捻回軸Ｒを中心に付勢手段３と共に所定の角度で回動するように構成されている。
【００３７】
また、復帰手段４は、捻回軸Ｒから所定の位置に配置される。具体的には、復帰手段４は、復帰手段４と捻回軸Ｒとの間の距離が、レバー２１と捻回軸Ｒとの間の距離と略同一となるように連結部材５に配置されている。言い換えれば、復帰手段４は、その回動する軌道上に回転部材２３が位置するように連結部材５に配置されている。
【００３８】
また、復帰手段４は、捻回軸Ｒを中心に付勢手段３に対して所定の角度の位置に配置される。具体的には、復帰手段４は、捻回軸Ｒを中心に付勢手段３に対して捻回軸Ｒの捻回する角度と略同一の角度を成すように配置されている。
【００３９】
また、復帰手段４は、付勢手段３との間にレバー２１が位置するように配置される。具体的には、付勢手段３がレバー２１を付勢している状態と、付勢手段３がレバー２１から最も離間している状態とにおいて、復帰手段４と付勢手段３との間にレバー２１が位置するように配置されている。言い換えれば、復帰手段４は、捻回軸Ｒの捻回する角度範囲（例えば、７０°）において、付勢手段３との間にレバー２１が位置するように配置されている。このように配置されることで、付勢手段３がレバー２１から離間するのに伴い、復帰手段３がレバー２１に反対側から接近し且つ変位した状態におけるレバー２１と接触可能に構成されている。
【００４０】
また、復帰手段４は、一端部（先端部）に、レバー２１と接触する接触部４１を備え、他端部（基端部）が連結部材５に接続されている。接触部４１は、所定方向に屈曲するように形成され、回転部材２３と接触するように構成される。具体的には、接触部４１は、変位した状態のレバー２１の回転部材２３に接触した状態において、レバー２１の復帰方向に略直交するように形成されている。このため、接触部４１は、レバー２１の復帰方向に向かって衝撃を加えることができる。
【００４１】
また、復帰手段４は、弾性部材を用いて形成される。具体的には、絶縁性を有する樹脂等が所定幅を有する板状に形成されることにより、厚み方向からの力によって、弾性変形するように構成されている。
【００４２】
また、復帰手段４は、断路器動作検知機構１に一対備えられている。具体的には、図３に示すように、開用リミットスイッチ２ａのレバー２１ａを復帰させる開用復帰手段４ａと閉用リミットスイッチ２ｂのレバー２１ｂを復帰させる閉用復帰手段４ｂとが備えられている。また、一対の復帰手段４は、リミットスイッチ２間を結ぶ直線を境に他方側に配置され、一方のリミットスイッチ２（例えば、閉用リミットスイッチ２ｂ）のレバー２１（例えば、レバー２１ｂ）に接触して復帰させた状態において、他方のリミットスイッチ２（例えば、閉用リミットスイッチ２ａ）のレバー２１（例えば、レバー２１ａ）から離間している状態となるように配置されている。具体的には、開用復帰手段４ａは、捻回軸Ｒを中心に閉用付勢手段３ｂと略対称な位置に配置され、且つ、開用付勢手段３ａに対して捻回軸Ｒの捻回する角度と略同一の角度を成すように配置されている。また、閉用復帰手段４ｂは、捻回軸Ｒを中心に開用付勢手段３ａと略対称の位置に配置され、且つ、閉用付勢手段３ｂに対して捻回軸Ｒの捻回する角度と略同一の角度を成すように配置されている。
【００４３】
次に、断路器動作検知機構１が作動する際の動きについて説明する。図４及び図５は、断路器Ａが電路を開いた状態から閉じた状態にする際のレバー２１ａ，２１ｂ、開用及び閉用付勢手段３ａ，３ｂ、開用及び閉用復帰手段４ａ，４ｂの位置を示したものである。特に、図４は、開用リミットスイッチ側の動きを示すものである。
【００４４】
図４（ａ）及び図５（ａ）は、断路器Ａが電路を開いた状態にしていることを示すものである。この状態において、開用リミットスイッチ２ａのレバー２１ａは、付勢手段３ａによって付勢され、変位した状態となっている。また、開用復帰手段４ａは、レバー２１ａから最も離間した状態となっている。一方、閉用リミットスイッチ２ｂのレバー２１ｂは、復帰した状態となっており、また、閉用付勢手段３ｂは、レバー２１ｂから最も離間した位置となっている。また、閉用復帰手段４ｂは、レバー２１ｂと接触しない状態でレバー２１ｂの近傍に位置している。
【００４５】
この状態において、電路を開いた状態から閉じた状態に切り替えるために、捻回軸Ｒを所定の角度（例えば、７０°）で捻回させることにより、図４（ｂ），（ｃ）及び図５（ｂ），（ｃ）に示すように、開用付勢手段３ａがレバー２１ａから離間する方向に、捻回軸Ｒを中心に回動し、それと共に開用復帰手段４ａは、変位した状態のレバー２１ａに向かって捻回軸Ｒを中心に回動する。そして、開用復帰手段４ａは、復帰方向に向かって変位した状態のレバー２１ａと接触して復帰させる。これと相反して、閉用付勢手段３ｂは、レバー２１ｂに向かって回動してレバー２１ｂを付勢して変位させると共に、閉用復帰手段４ｂは、レバー２１ｂから離間する方向に回動して停止する。この状態において、リミットスイッチ２ｂは断路器Ａが電路を閉じた状態にしていることを知らせる信号を送信する。
【００４６】
上記構成からなる断路器動作検知機構１は、リミットスイッチ２のレバー２１が変位した状態で固着してしまった場合であっても、電路を開閉する際の断路器Ａの動作に連動してレバー２１を容易に復帰させることができ、断路器Ａの動作状態を正確に検知することができる。
【００４７】
即ち、前記断路器動作検知機構１は、変位した状態で固着したリミットスイッチ２のレバー２１を復帰させる復帰手段４を備え、該復帰手段４は、断路器Ａの動作に連動して可動し、固着したレバー２１から付勢手段３が離間するに伴って固着したレバー２１に接近し、復帰方向に向かって接触するように構成されることで、変位した状態で固着してしまったレバー２１を断路器Ａの動作に連動して容易に復帰させることができる。具体的には、復帰手段４が断路器Ａの動作に連動して可動することで、電路を開閉する際の断路器Ａの操作と共に、固着したレバー２１を復帰させることができるため、別途、復帰作業を行う必要がなく、保守点検作業等の停電作業の効率的に行うことができる。
【００４８】
また、断路器動作検知機構１は、前記リミットスイッチ２を一対備え、変位した状態で固着した少なくとも一方のレバー２１に前記復帰手段４が接触するように備えられることで、一対のリミットスイッチ２のうちのどちらか一方、或いは、両方のレバー２１が固着し易いような状況であっても、容易にレバー２１を復帰させることができる。
【００４９】
具体的には、一対のリミットスイッチ２のうち、一方が断路器Ａによって電路が開いた状態にされていることを検地する開用リミットスイッチ２１ａであり、他方が断路器Ａによって電路が閉じた状態にされていることを検地する閉用リミットスイッチ２１ｂである場合には、断路器Ａが常時使用される状態、例えば、電路を常時閉じた状態にしているか、常時開いた状態にしているかによって、固着するレバーと固着しないレバーとが生じることとなる。或いは、どちらか一方の状態に限定されず、常時使用される状態が変動する場合には、両方のレバーで固着が生じることとなる。従って、固着が生じる方のレバー、或いは、両方のレバーに接触するように復帰手段４を設けることで、確実にレバーを復帰させることができる。
【００５０】
また、断路器動作検知機構１は、前記復帰手段４が、弾性部材を用いて形成されることで、リミットスイッチ２のレバー２１と接触した際の衝撃を緩和することができる。
【００５１】
＜第二実施形態＞
以下、本発明の第二実施形態について図６を参照しながら説明する。
【００５２】
まず初めに、第二実施形態にかかる断路器動作検知機構１０が備えられる断路器について簡単に説明する。該断路器は、２本の碍子がＶ字状に配置されたＶ型断路器である。該Ｖ型断路器は、架線が接続される接続端子部を２本の碍子の先端部に備え、該接続端子部同士がブレードによって連結可能に構成されている。該ブレードは、一端部が一方の接続端子部に回動可能に接続され、他端部が他方の接続端子部と接触可能に構成されている。
【００５３】
また、ブレードは、電路の開閉を行なう際に所定の角度（例えば、９０°）で捻回する捻回軸Ｒに連動し、一方の接続端子部との接続部分を中心に回動するように構成されている。また、捻回軸Ｒの一端部には、電路の開閉を行なう際に捻回軸Ｒを捻動させる開閉レバーが備えられている。そして、開閉レバーを手動又は自動で操作し、捻回軸Ｒを捻回させることによりブレードを回動させ、接続端子部間の連結状態を切り替えることで、電路の開閉が行なわれる。
【００５４】
次に、本実施形態の特徴的部分である断路器動作検知機構１０について説明する。断路器動作検知機構１０は、第一実施形態と比較して、リミットスイッチ２と付勢手段３との構成が異なり、それに伴って復帰手段４の構成も一部異なる。従って、以下は第一実施形態と異なる点について説明し、同一の構成については同一の符号を付すこととして説明を省略する。
【００５５】
断路器動作検知機構１０は、Ｖ型断路器（以下、断路器Ｂと記す）に備えられるものである。そして、図６に示すように、断路器動作検知機構１０は、リミットスイッチ２０と付勢手段３０と復帰手段４０とから構成される。
【００５６】
前記リミットスイッチ２０は、所定方向に変位可能なレバー２１０と、該レバー２１０が接続される本体部２２０とから構成される。レバー２１０は、一端部（基端部）が本体部２２０に接続され、本体部２２０に対して所定方向に変位可能に構成される。具体的には、レバー２１０は、本体部２２０の側部に沿って配置され、一端部（基端部）が本体部２２０に接続され、本体部２２０との接続部分を中心に回動可能に構成されている。また、レバー２１０は、変位した状態において、本体部２２０に略平行するように構成され、復帰した状態においては、他端部（先端部）が本体部２２０から離間し、本体部２２０に対して所定の角度を成すように構成されている。
【００５７】
また、リミットスイッチ２０は、断路器動作検知機構１０に一対備えられている。具体的には、開用リミットスイッチ２０ａと閉用リミットスイッチ２０ｂとが備えられている。開用及び閉用リミットスイッチ２０ａ，２０ｂは、捻回軸Ｒから所定の距離に配置される。具体的には、開用及び閉用リミットスイッチ２０ａ，２０ｂは、捻回軸Ｒを中心に対称の位置に配置されている。また、それぞれのレバー２１０ａ，２１０ｂは、捻回軸Ｒ側に位置するように配置され、捻回軸Ｒから所定の距離に回転部材２３０が位置するように構成されている。これにより、レバー２１０ａ，２１０ｂは、捻回軸Ｒに対して離れる方向に変位し、捻回軸Ｒ側に向かって復帰するようになっている。
【００５８】
付勢手段３０は、カム状の形状を有し、捻回軸Ｒの捻回に連動して回動するように構成される。具体的には、付勢手段３０は、板カム状に形成され、その回動中心が捻回軸Ｒの中心と一致するように捻回軸Ｒの一端部に直交するように固定されている。これにより、付勢手段３０は、開用及び閉用のリミットスイッチ２０ａ，２０ｂの略中央に位置することとなり、捻回軸Ｒに連動して所定の角度で回動することによって、レバー２１０ａ，２１０ｂの一方を付勢して変位させる。
【００５９】
また、付勢手段３０は、円弧状に形成された付勢面３３０を備え、該付勢面３３０は、捻回軸Ｒから所定の半径を成すように形成される。具体的には、捻回軸Ｒから付勢面３３０までの距離が、捻回軸Ｒから変位した状態のレバー２１０まで、より詳しくは、回転部材２３までの距離と略同一となるように形成されている。
【００６０】
復帰手段４０は、一端部（基端部）が付勢手段３０と共に捻回軸Ｒに固定され、捻回軸Ｒに対して略直交する方向にように備えられている。これにより、復帰手段４０は、捻回軸Ｒの動作に連動し、付勢手段３０と共に捻回軸Ｒを中心に他端部が所定の角度で回動する。
【００６１】
また、復帰手段４０は、その先端部が変位した状態で固着したレバー２１０に接触するように構成される。具体的には、復帰手段４０の先端部が回動する軌道上に変位した状態で固着したレバー２１０の回転部材２３０が位置するように構成されている。
【００６２】
また、復帰手段４０は、先端部にレバー２１０と接触する接触部４１０を備えている。該接触部４１０は、所定方向に屈曲するように形成され、レバー２１０の回転部材２３と接触するように構成される。具体的には、接触部４１０は、変位した状態のレバー２１０の回転部材２３に接触した状態において、レバー２１０の復帰方向に略直交するように形成されている。このため、接触部４１０は、レバー２１０の復帰方向に向かって衝撃を加えることができる。
【００６３】
また、復帰手段４０は、弾性部材を用いて形成される。具体的には、復帰手段４０は、例えば、絶縁性を有する樹脂等が所定幅を有する板状に形成され、厚み方向からの力によって弾性変形するように構成されている。
【００６４】
また、復帰手段４０は、断路器動作検知機構１０に一対備えられている。具体的には、開用リミットスイッチ２０ａのレバー２１０ａを復帰させる開用復帰手段４０ａと閉用リミットスイッチ２０ｂのレバー２１０ｂを復帰させる閉用復帰手段４０ｂとが備えられている。開用及び閉用復帰手段４０ａ，４０ｂは、付勢面３３０の中央と捻回軸Ｒとを結ぶ直線を境に略対称に位置するように構成される。
【００６５】
次に、断路器動作検知機構１０が作動する際の動きについて説明する。図７（ａ）〜（ｃ）は、断路器Ｂが電路を開いた状態から閉じた状態にする際のレバー２１０ａ，２１０ｂ、開用及び閉用付勢手段３０ａ，３０ｂ、開用及び閉用復帰手段４０ａ，４０ｂの位置を示したものである。図７（ａ）は、断路器Ｂが電路を開いた状態にしていることを示すものである。この状態において、開用リミットスイッチ２０ａのレバー２１０ａは、付勢面３３０によって付勢され、変位した状態となっている。また、復帰手段４０ａは、レバー２１０ａから離間した状態となっており、付勢面３３０との間にローラー２３０が位置している。一方、閉用リミットスイッチ２０ｂのレバー２１０ｂは、復帰した状態となっており、付勢面３３０は、レバー２１０ｂから最も離間した状態となっている。また、復帰手段４０ｂは、レバー２１から離間した状態となっており、付勢面３３０と回転部材２３０との間に位置している。
【００６６】
そして、電路を開いた状態から閉じた状態に切り替えるために、捻回軸Ｒを所定の角度（例えば、９０°）で捻回させることにより、図７（ｂ），（ｃ）に示すように、付勢面３３０がレバー２１０ａから離間する方向に回動すると共に、復帰手段４０ａは、変位した状態で固着したレバー２１０ａに向かって回動し、復帰方向に向かってレバー２１０ａと接触して復帰させる。そして、復帰手段４０ａは、さらに、レバー２１０ａを乗り越えて回動して停止する。一方、付勢面３３０と復帰手段４０ｂとは、レバー２１０ｂに向かって回動し、復帰手段４０ｂがレバー２１０ｂを乗り越えた後に、付勢面３３０がレバー２１０ｂを付勢して変位させ、停止する。この状態においてリミットスイッチ２０ｂは、断路器Ｂが電路を閉じた状態にしている信号を送信する。
【００６７】
上記構成からなる断路器動作検知機構１０は、復帰手段４０が捻回軸Ｒに直接連結されているため、捻回軸Ｒが捻回する際の力を直接復帰手段４０に伝えることができ、効果的に固着したレバー２１０に衝撃を加えることができる。また、復帰手段４０が捻回軸Ｒに直接連結されているため、捻回軸Ｒとリミットスイッチ２２０との間隔を狭くすることができ、省スペース化を図ることができる。
【００６８】
なお、本発明は、上記実施形態に限定されるものではなく、本発明の要旨を逸脱しない範囲で種々の変更が可能である。
【００６９】
例えば、上記第一実施形態では、付勢手段３がレバー２１を付勢している状態と、付勢手段３がレバー２１から最も離間している状態とにおいて、復帰手段４と付勢手段３との間にレバー２１が位置するように構成されているが、これに限定されるものではなく、復帰手段４が、レバー２１と接触した後、さらに同一方向に可動してレバー２１を乗り越えるように構成されてもよい。
【００７０】
具体的には、上記第一実施形態では、捻回軸Ｒが例えば、７０°で捻回するように構成されているが、より大きい角度（例えば、９０°）で捻回するように構成されることで、復帰手段４がレバー２１を乗り越えて回動するように構成されてもよい。又は、上記第一実施形態では、復帰手段４と付勢手段３とが捻回軸Ｒを中心に成す角度が捻回軸Ｒの捻回する角度と略同一の角度となるように構成されているが、より狭い角度となるように構成されることで、復帰手段４がレバー２１を乗り越えて回動するように構成されてもよい。      
【００７１】
このように、復帰手段４がレバー２１を乗り越えて回動するように構成された場合であっても、復帰手段４が弾性部材を用いて構成されていることで、レバー２１を乗り越える際に弾性変形するため、レバー２１を乗り越える際の抵抗を軽減することができる。
【００７２】
また、上記第一実施形態においては、付勢手段３と復帰手段４とがそれぞれ一対備えられているが、これに限定されるものではなく、付勢手段３と復帰手段４とをそれぞれ１つ備えるようにしてもよい。具体的には、図８に示すように、捻回軸Ｒが捻回する角度が略１８０°である場合においては、付勢手段３’と復帰手段４’とをそれぞれ１つ、捻回軸Ｒを中心に対称の位置に配置してもよい。このように配置されることで、一対のリミットスイッチ２のうち、一方のレバー２１が付勢手段３’によって付勢される際に、他方のレバー２１が復帰手段４’と接触することとなり、一対のリミットスイッチの両方のレバー２１を容易に復帰させることができる。
【００７３】
また、上記第二実施形態においては、復帰手段４０が一対備えられているが、これに限定されるものではなく、復帰手段４０を１つ備えるようにしてもよい。具体的には、図９に示すように、捻回軸Ｒが捻回する角度が略１８０°である場合において、復帰手段４０’は付勢面３３０の中央部に対して捻回軸Ｒを中心に１８０°の角度を成す位置に配置されてもよい。このように配置されることで、一対のリミットスイッチ２０のレバー２１０の一方が付勢手段３０によって付勢される際に、他方のレバー２１０が復帰手段４０’と接触することとなり、両方のレバー２１０を１つの復帰手段４で復帰させることができる。
【００７４】
また、上記第一実施形態は、水平二点切断路器（断路器Ａ）に備えられているが、これに限定されるものではなく、Ｖ型断路器（断路器Ｂ）に備えられてもよい。また、上記第二実施形態は、Ｖ型断路器（断路器Ｂ）に備えられているが、これに限定されるものではなく、水平二点切断路器（断路器Ａ）に備えられてもよい。
【符号の説明】
【００７５】
１，１０…断路器動作検知機構、２，２ａ，２ｂ，２０，２０ａ，２０ｂ…リミットスイッチ、２１，２１ａ，２１ｂ，２１０，２１０ａ，２１０ｂ…レバー、２２，２２ａ，２２ｂ，２２０，２２０ａ，２２０ｂ…本体部、２３，２３０…回転部材、３，３ａ，３ｂ，３０，３０ａ，３０ｂ…付勢手段、３１…付勢部、３２…接続部、３３…付勢面、４，４ａ，４ｂ，４０，４０ａ，４０ｂ…復帰手段、４１…接触部、５…連結部材、Ａ…水平二点切断路器、Ｂ…Ｖ型断路器、Ｒ…捻回軸
【図１】
2011187382.tif 000003
【図２】
2011187382.tif 000004
【図３】
2011187382.tif 000005
【図４】
2011187382.tif 000006
【図５】
2011187382.tif 000007
【図６】
2011187382.tif 000008
【図７】
2011187382.tif 000009
【図８】
2011187382.tif 000010
【図９】
2011187382.tif 000011